(57)【要約】【課題】夜間停電時や誘導標識として機能する縁飾り１３，３０、及び該縁飾り１３，３０を装着することにより停電緊急時の避難誘導標識として機能させることのできる遊技機島用パーテーション１０を提供することを目的とする。【解決手段】停電緊急時に遊技場内が暗くなると、パーテーション１０に装着されている縁飾り１３の蓄光材から成る帯状片１３ｂが線状に発光し、縁が発光するパーテーション１０の列によって遊技機島２０と遊技機島２０の間の通路が容易に視認できる。このため、パーテーション１０が避難誘導標識として機能するので、遊技者は緊急時、速やかに場外退避できる。縁飾り１３の本体１３ａを軟質プラスチックで横断面形状が逆Ｕ字形に形成したので、パーテーション本体１１の縁に簡単に装着できる。そのため既存のパーテーションに装着することにより、パーテーションに誘導避難標識としての機能を付与することができる。【選択図】図１
2013215316.tif 000002
【特許請求の範囲】
【請求項１】
板状部材の縁に装着する縁飾りであって、プラスチック材料製の縁飾り本体と、蓄光材料製の帯状片から成り、帯状片が本体表面の長手方向に沿って線状又は点線状に表れるように、本体と帯状片を一体成形したことを特徴とする縁飾り。
【請求項２】
前記縁飾り本体の横断面形状が２本の脚部を備えた逆Ｕ字形となるように軟質プラスチック材料で成形され、両脚部で板状部材の縁を挟持できるようにしたことを特徴とする請求項１に記載の縁飾り。
【請求項３】
遊技機島に設置されている遊技機と遊技機との間に設置される透明な遊技機島用パーテーションであって、
プラスチック材料製の縁飾り本体と、蓄光材料製の帯状片から成り、帯状片が本体表面の長手方向に沿って線状又は点線状に表れるように、本体と帯状片を一体成形した縁飾りを備え、該縁飾りをパーテーション本体の縁部に装着したことを特徴とする遊技機島用パーテーション。
【請求項４】
前記縁飾り本体の横断面形状が２本の脚部を備えた逆Ｕ字形となるように軟質プラスチック材料で成形され、両脚部でパーテーション本体の縁部を挟持するようにして縁飾りをパーテーション本体に装着したことを特徴とする請求項３に記載の遊技機島用パーテーション。
【発明の詳細な説明】
【技術分野】
【０００１】
本発明は縁飾りに関し、よりくわしくは、ガラス板やアクリル樹脂板製のパーテーション、非常口扉等の板状部材、とりわけ遊技機島に設置されるアクリル樹脂製の透明なパーテーションの縁に装着するに好適な縁飾り及び、縁飾りの付いた遊技機島用パーテーションに関する。
【背景技術】
【０００２】
近時、遊技機島に列設されている遊技機と遊技機との間にアクリル樹脂製の透明なパーテーションを設置した遊技場が出現している。遊技機島にパーテーションを設置すると、隣の遊技機の音声が直接伝わらないので、遊技者が隣の音声に煩わされることなく、遊技に集中できる。また、隣の遊技者の不快なタバコの煙を遮断できる。一方、パーテーションは透明なので、不正の発見が可能であり、遊技者の不正を助長するおそれはない。
【先行技術文献】
【特許文献】
【０００３】
【特許文献１】引用なし
【発明の概要】
【発明が解決しようとする課題】
【０００４】
ところで、遊技場には火災や地震等の緊急時に遊技者を安全に遊技場から外部へ導くため、避難誘導灯が備えられている。緊急時に停電が発生した場合、遊技者は避難誘導灯に従って、場外へ避難することになる。
通常、遊技場の通路は隣接する遊技機島で区画されているが、隣接する遊技機島で区画された通路は狭いうえに、通路には遊技者が遊技時に着席する椅子が並んでいる。そのため、夜間停電が発生して場内が暗くなると避難誘導灯の明かりだけでは、椅子が並べられた狭い通路を通って多数の遊技者が場外へ退避するとき、混雑が生ずるのは避けられない。
本発明はかかる点に鑑み、夜間停電時や誘導標識として機能し、あるいは夜間消灯時に所在を表示できる縁飾り、及び該縁飾りを装着することにより停電緊急時の避難誘導標識として機能させることのできる遊技機島用パーテーションを提供することを目的とする。
【課題を解決するための手段】
【０００５】
請求項１に記載の発明は、板状部材の縁に装着する縁飾りであって、プラスチック材料製の縁飾り本体と、蓄光材料製の帯状片から成り、帯状片が本体表面の長手方向に沿って線状又は点線状に表れるように、本体と帯状片を一体成形したことを特徴とする。
【０００６】
請求項２に記載の発明は、請求項１に記載の縁飾りにおいて、前記縁飾り本体の横断面形状が２本の脚部を備えた逆Ｕ字形となるように軟質プラスチック材料で成形され、両脚部で板状部材の縁を挟持できるようにしたことを特徴とする。
【０００７】
請求項３に記載の発明は、遊技機島に設置されている遊技機と遊技機との間に設置される透明な遊技機島用パーテーションであって、
プラスチック材料製の縁飾り本体と、蓄光材料製の帯状片から成り、帯状片が本体表面の長手方向に沿って線状又は点線状に表れるように、本体と帯状片を一体成形した縁飾りを備え、該縁飾りをパーテーション本体の縁部に装着したことを特徴とする。
【０００８】
請求項４に記載の発明は、請求項３に記載の遊技機島用パーテーションにおいて、前記縁飾り本体の横断面形状が２本の脚部を備えた逆Ｕ字形となるように軟質プラスチック材料で成形され、両脚部でパーテーション本体の縁部を挟持するようにして縁飾りをパーテーション本体に装着したことを特徴とする。
【発明の効果】
【０００９】
請求項１に記載の発明によれば、夜間の停電時や消灯時、板材に装着されている縁飾りの帯状片が線状又は点状に発光する。このため、例えば、この縁飾りを非常口の扉に装着して夜間停電時の避難誘導標識として機能させることができる。また、冷蔵庫の扉の縁やテーブルの縁に装着して夜間消灯時における冷蔵庫やテーブルの所在を示す標識として機能させることができる。
【００１０】
請求項２に記載の発明によれば、縁飾りの本体の横断面形状を軟質プラスチックで逆Ｕ字形に形成したので、板状部材の縁に簡単に装着できる。
【００１１】
請求項３に記載の発明によれば、停電緊急時に遊技場内が暗くなると、パーテーションに装着されている縁飾りの帯状片が線状又は点状に発光し、縁が発光するパーテーションの列によって遊技機島と遊技機島の間の通路が容易に視認できる。このため、パーテーションが避難誘導標識として機能するので、遊技者は緊急時、通路を通って速やかに場外退避できる。
【００１２】
請求項４に記載の発明によれば、縁飾りの本体横断面形状を軟質プラスチックで逆Ｕ字形に形成したので、パーテーションの縁に簡単に装着できる。そのため既存のパーテーションに誘導避難標識としての機能を付与することができる。
【図面の簡単な説明】
【００１３】
【図１】本発明の第１実施例に係る縁飾り及び当該縁飾りを装着した遊技機島用パーテーションを示す斜視図である。
【図２】同パーテーションのスリットを示す部分拡大図である。
【図３】同縁飾りの横断面形状を示す断面図である。
【図４】同パーテーションを設置した遊技機島を示す説明図である。
【図５】本発明の第２実施例に係る縁飾りの横断面形状を示す断面図である。
【実施例１】
【００１４】
以下に本発明を図面に基づき説明するに、図１には本発明の第１実施例に係る縁飾りを装着した、遊技機島に設置される透明なパーテーション１０が示されている。当該パーテーション１０は透明なアクリル樹脂製の本体１１と、支持フレーム１２及び本体１１の縁に装着した縁飾り１３を備えている。
【００１５】
パーテーション本体１１は上辺１１ａ、前辺１１ｂ、斜辺１１ｃ、底辺１１ｄ、後辺１１ｅからなる５角形を有し、上辺１１ａと後辺１１ｅとが交差する角隅部に円形貫通穴１１ｆが形成されている。また、後辺１１ｅの中間部と下端部に内端部が上方に屈曲したスリット１１ｇが形成されている。
【００１６】
支持フレーム１２はベースフレーム１２ａと、ベースフレーム１２ａに一体的に立設した２本の縦フレーム１２ｂからなり、両縦フレーム１２ｂで縦溝１２ｃが形成されている。両縦フレーム１２ｂの上部に貫通穴１２ｄが形成されている。また、両縦フレーム１２ｂの中間部と下端部に縦溝１２ｃを横切るようにピン１２ｅが固着されている。ベースフレーム１２ａの裏面には両面接着テープ１４が貼着されている。
【００１７】
パーテーション１１の後片１１ｅを支持フレーム１２の縦溝１２ｃに嵌合し、図２に示すように、上下２箇所のスリット１１ｇの上方屈曲部にピン１２ｅを係止し、縦フレーム１２ｂの上端部の貫通穴１２ｄとパーテーション本体１１の貫通穴１１ｆにボルト１５を挿通することにより、パーテーション本体１１と支持フレーム１２が一体に連結される。
【００１８】
縁飾り１３はプラスチックゴムのような軟質プラスチック材料からなる縁飾り本体１３ａと、アルミン酸ストロンチウムを母体に希土類を加えて焼成したセラミックスと硫化亜鉛を混合した蓄光材からなる帯状片１３ｂから成る。そして、縁飾り本体１３ａを形成する軟質プラスチック材と帯状片１３ｂを形成する蓄光材料が、帯状片１３ｂが本体１３ａの表面の長手方向に沿って線状に表れるように一体成形されている。図３に示すように、縁飾り本体１３ａの横断面形状は２本の脚部１３ｃを備えた逆Ｕ字形に形成され、各脚部１３ｃに帯状片１３ｂが一体成形されている。縁飾り１３は脚部１３ｃでパーテーション本体１１の上辺１１ａ、前片１１ｂ、斜辺１１ｃ及び底辺１１ｄを挟持するようにして装着されている。
【００１９】
図４に示すように、遊技機２１は遊技機島２０を構成する縦柱２２と縦柱２２で区画された領域に一台ずつ設置されている。パーテーション１０は遊技機２１と遊技機２１の間に配設されている縦柱２２に両面テープ１４で接着して固定される。
【００２０】
第１実施例に係る縁飾り１３及び遊技機島用パーテーション１０の構造は以上の通りであって、停電緊急時に遊技場内が暗くなると、パーテーション１０に装着されている縁飾り１３の帯状片１３ｂが線状に発光し、縁が発光するパーテーション１０の列によって遊技機島２０と遊技機島２０の間の通路が容易に視認できる。このため、パーテーション１０が避難誘導標識として機能するので、遊技者は緊急時、速やかに場外退避できる。
【００２１】
また、縁飾り１３の本体１３ａを軟質プラスチックで横断面形状が逆Ｕ字形に形成したので、パーテーション本体１１の縁に簡単に装着できる。そのため既存のパーテーションに装着することにより、パーテーションに誘導避難標識としての機能を付与することができる。
【実施例２】
【００２２】
本発明の第２実施例に係る縁飾り３０を図５に示す。第２実施例に係る縁飾り３０では、蓄光材からなる帯状片３１ｂが逆Ｕ字形の頂部を形成するように、軟質プラスチック製の縁飾り本体３１ａに一体成形されている。
なお、第２実施例に係る縁飾り３０の他の構成は第１実施例に係る縁飾り１３と同じである。
【００２３】
なお、第１実施例及び第２実施例に係る縁飾り１３，３０では帯状片１３ｂ，３１ｂを線状に形成したが、点線状に形成することもできる。
また、第１実施例及び第２実施例に係る縁飾り１３，３０を遊技機島用パーテーション１０以外の板状部材、例えば、非常口の扉に装着して夜間停電時の避難誘導標識として機能させることができる。また、冷蔵庫の扉の縁やテーブルの縁に装着して夜間消灯時における冷蔵庫やテーブルの所在を示す標識として機能させることができる。
【符号の説明】
【００２４】
１０…遊技機島用パーテーション
１１…パーテーション本体
１２…支持フレーム
１３，３０…縁飾り
１３ａ，３１ａ…縁飾り本体
１３ｂ，３１ｂ…帯状片
【図１】
2013215316.tif 000003
【図２】
2013215316.tif 000004
【図３】
2013215316.tif 000005
【図４】
2013215316.tif 000006
【図５】
2013215316.tif 000007